(57)【要約】      （修正有）【課題】大きな経費負担をかけることなく、既存の写真アルバムの複製を簡単に行うことができる写真アルバム複製版を提供する。【解決手段】既存の写真アルバムの全頁をスキャニングして、そのイメージのままに両面印刷を行い一冊に製本することで、大きな経費をかけることなく、既存の写真アルバムの複製を簡単に行うことができる。【選択図】図１
0003164970.tif 000002
【実用新案登録請求の範囲】
【請求項１】
既存の写真アルバムにおいて写真が貼付された各頁の頁全体を、イメージスキャナ装置で忠実な画像データとして夫々入力して、
夫々の該画像データのうち、該写真アルバムにおいて表裏の関係にある画像データを抽出して、同じ位置関係になるように両面プリンタで夫々印刷して本文頁とし、
夫々の該本文頁を該写真アルバムの頁順に基づき並び替え、所定の表紙頁とともに製本してなる写真アルバム複製版。
【考案の詳細な説明】
【技術分野】
【０００１】
本考案は写真アルバムに関し、特に既存の写真アルバムをデジタルデータ化して複製を行う技術に関する。
【背景技術】
【０００２】
従来における一般的な家庭では、家族の大切な思い出を一冊の写真アルバムに記録していた。一方、家族の結婚等に際して、子どもに写真アルバムを渡したいというような場合もあり、かかる場合には写真アルバムの複製が必要となる。
【０００３】
近年では、デジタルカメラ等の普及により画像データの管理が容易になったが、従前のフィルムを用いたカメラの場合には、プリント写真に加えて元となるネガやポジのすべてを保管することは稀であり、写真アルバムに貼付されたプリント写真が唯一の画像である場合も多くある。
【０００４】
したがって、従前のフィルムからプリントした写真を含む写真アルバムの場合には、あらたに同じ内容の写真アルバムを作成することは難しいという問題がある。また、フィルムが保管されているような場合でも、一冊すべての複製を行うためには多大な労力と経費負担が必要になる。
【０００５】
そのため、デジタルデータを用いて一度作製したアルバムとほとんど変わりのないアルバムを再び作製し得るアルバム及びプリント装置及びアルバム作製方法等の技術が提案されている。（例えば特許文献１を参照）。
【先行技術文献】
【特許文献】
【０００６】
【特許文献１】特開２００６−０６９０１７号公報
【考案の概要】
【考案が解決しようとする課題】
【０００７】
上記の特許文献１は、各種のデジタルデータを用いて、一度作製したアルバムとほとんど変わりのないアルバムを再び作製し得る技術を合理的に構成することとするが、写真の撮影画像のイメージデータと、アルバムのページ内における写真のレイアウトデータからアルバムの複製を行うため、データの取り扱いが複雑であり、複製にかかる経費負担も大きい。
【０００８】
そのため、一般家庭において、子どもに写真アルバムを渡したいというような場合に気軽に利用することはできず、問題の解決にはならない。
【０００９】
そこで、本考案では、大きな経費負担をかけることなく、既存の写真アルバムの複製を簡単に行うことができる写真アルバム複製版を提供することを目的とする。
【課題を解決するための手段】
【００１０】
上記の課題を解決するため、本考案の写真アルバム複製版では、既存の写真アルバムにおいて写真が貼付された各頁の頁全体を、イメージスキャナ装置で忠実な画像データとして夫々入力して、夫々の該画像データのうち、該写真アルバムにおいて表裏の関係にある画像データを抽出して、同じ位置関係になるように両面プリンタで夫々印刷して本文頁とし、夫々の該本文頁を該写真アルバムの頁順に基づき並び替え、所定の表紙頁とともに製本してなることを特徴とする。
【考案の効果】
【００１１】
本考案によれば、大きな経費負担をかけることなく、既存の写真アルバムの複製を簡単に行うことができる写真アルバム複製版を提供することができる。
【図面の簡単な説明】
【００１２】
【図１】本実施形態に係る写真アルバム複製版１の斜視図である。
【図２】既存の写真アルバム２の頁体裁について説明した図である。
【図３】本実施形態にかかる写真アルバム複製版１を作成するシステムを示した図である。
【考案を実施するための形態】
【００１３】
以下、本考案の実施の形態を図面に基づいて説明する。
図１は、本実施形態に係る写真アルバム複製版１の斜視図である。本実施形態の写真アルバム複製版１は一般的な書籍の形状であって、本図では奥行き方向を書籍の天方向として、書籍の背１２２を下にして置いた状態を示している。本文頁１１は任意の頁数であって、その周囲を表紙頁１２で包んでいる。本文頁１１と表紙頁１２は綴じ部１３で貼り合わされている。ここで綴じ部１３は、ホットメルトシートや粘着シート等の材料から成っている。
【００１４】
図２は、既存の写真アルバム２の頁体裁について説明した図である。見開き２頁のそれぞれの頁には複数の写真が貼付されている。なお、本図では見開き２頁を例示するが、既存の写真アルバム２は任意の頁数を有する。
【００１５】
図３は、たとえば顧客からの注文に応じて、本実施形態にかかる写真アルバム複製版１を作成するシステムを示した図である。
【００１６】
本システムは、ＰＣ端末３１，イメージスキャナ３２，両面プリンタ３３，筋入れ機３５，製本機３６，断裁機３７等で構成されている。ＰＣ端末３１は、ネットワーク３４を介して接続するイメージスキャナ３２や両面プリンタ３３を制御する。また、ＰＣ端末３１には、図示しないスキャニングアプリケーション，画像編集アプリケーション，印刷アプリケーション等を備えている。
【００１７】
はじめに、システムの担当者は、ＰＣ端末３１が備えるスキャニングアプリケーションとイメージスキャナ３２を起動して、顧客から持ち込まれた既存の写真アルバム２（図２）について全頁のスキャニングを行う。ここでイメージスキャナ３２の撮影領域は、既存の写真アルバム２の一頁すべてが納まるように、十分な広さが必要である。スキャニングされた各ページの画像データは、既存の写真アルバム２における頁番号の情報とともに保存される。また、ＰＣ端末３１が備える画像編集アプリケーションを用いて色目等の補正がなされ、必要に応じてサイズの変更等を行う。
【００１８】
次に、システムの担当者は、ＰＣ端末３１が備える印刷アプリケーションを起動して、既存の写真アルバム２の頁番号に基づいて、両面プリンタ３３から本文頁１１の両面印刷を行う。
【００１９】
また、表紙頁１２の印刷も行うが、通常において表紙頁１２は片面の印刷を行う。なお、既存の写真アルバム２の表紙頁に写真情報を含むような場合には、本文頁１１と同様、表紙頁のイメージをスキャニングすることとするが、たとえば特徴のない布等で包まれた表紙のような場合には、あらかじめ用意されたデザインフォーマットに基づいてレイアウトがなされる。
【００２０】
具体的には図１の表紙１２１を例に説明する。たとえば、顧客が選択した既存の写真アルバム２における１枚の写真を表紙図版１２５に指定し、顧客が希望する文言をタイトル１２４に指定することで、所定のパターンに基づいて表紙１２１のレイアウトが行われるように設定する。
【００２１】
次に、システムの担当者は、図１に示すように表紙頁１２は本文頁１１を包む構造になっているので、表紙１２１，背１２２，裏表紙１２３が「コ」の字となるように表紙頁１２を加工する。すなわち、印刷された表紙頁１２を筋入れ機３５にセットして、背１２２の幅に折り筋を入れる。ここで背１２２の幅は、本文頁１１の枚数に比例するので、たとえばＰＣ端末３１に対応する換算表をあらかじめ備えておいて、本文頁１１の枚数から背１２２の幅を容易に算出できるようにしておくことが好ましい。
【００２２】
その後、表紙頁１２の背１２２が「コ」の字の外側になるように、折り筋に沿って折り曲げる。折り曲げた後の「コ」の字における背１２２の裏側部分は綴じ部１３となり、ホットメルトシート，粘着シート等がセットされる。
【００２３】
次に、システムの担当者は、印刷が終了した本文頁１１を頁順に並べて綴じ部１３に揃えた後、製本機３６にセットする。製本機３６は綴じ部１３を加熱することで、ホットメルトシート，粘着シート等を溶融させる。さらに綴じ部１３が冷却することで、ホットメルトシート，粘着シート等が硬化して、表紙頁１２と本文頁１１とが固定される。
【００２４】
その後、表紙頁１２と本文頁１１が一体となった写真アルバム複製版１を、断裁機３７にセットして指定サイズに断裁する。ここで断裁の順番として、（１）背表紙１２３の側において天地のうち余りが多く残った方、（２）前記（１）において余りが少なく残った方、（３）断ち側（冊子を開く側）、とすることで仕上げが美しくなり好ましい。
【００２５】
断裁の完了後は、４つの角が直角になっているか、カットした３辺のカット面が整っているか（ガタガタになっていないか）、中身のページ順、向き、表裏が揃っているか、背表紙のカット面に少しのめくれ、カット残りくずがないか等をチェックして、めくれ、カット残りくずがあれば、はさみで切って体裁を整えて完成する。
【００２６】
以上の通り、本考案の写真アルバム複製版１によれば、大きな経費をかけることなく、既存の写真アルバム２の複製を簡単に行うことができる。
【００２７】
他にも、昔の古い写真アルバムにはかさばるものも多くあるが、本考案の写真アルバム複製版１によれば、コンパクトな収納を可能にするという効果を奏する。
【符号の説明】
【００２８】
１  写真アルバム複製版
２  既存の写真アルバム
１１  本文頁
１２  表紙頁
１３  綴じ部
３１  ＰＣ端末
３２  イメージスキャナ
３３  両面プリンタ
３４  ネットワーク
３５  筋入れ機
３６  製本機
３７  断裁機
１２１  表紙
１２２  背
１２３  裏表紙
１２４  タイトル
１２５  表紙図版
【図１】
0003164970.tif 000003
【図３】
0003164970.tif 000004
【図２】
0003164970.tif 000005